(57)【要約】【課題】着用しているときに曲がったりブラブラすることがなく、ネクタイ側の掛止部材の高さとワイシャツのボタンの高さの位置が合わない場合に両者の位置合わせを容易に行うことができ、かつその場合に着用したネクタイの姿勢を自然な形に保持することのできるネクタイを提供する。【解決手段】大剣部２と小剣部３を有し、大剣部２の裏側に小剣部通し５を有するネクタイにおいて、小剣部３の裏側に縦に延びる開閉自在なファスナー７を取り付けるとともに、小剣部３の内部にファスナー７を開けて縦長に折り畳んだ紙幣Ｂを収納できる縦長のポケット部１０を形成し、シャツ１２のボタン１３に掛止可能な掛止部材１１を前記ファスナー７の操作片９Ａに対し取り付ける。【選択図】図１
0003119307.tif 000002
【実用新案登録請求の範囲】
【請求項１】
大剣部と小剣部を有し、大剣部の裏側に小剣部通しを有するネクタイにおいて、小剣部の裏側に縦に延びる開閉自在なファスナーを取り付けるとともに、小剣部の内部にファスナーを開けて縦長に折り畳んだ紙幣を収納できる縦長のポケット部を形成し、シャツのボタンに掛止可能な掛止部材を前記ファスナーの操作片に対し取り付けてなることを特徴とするネクタイ。
【請求項２】
前記ファスナーは独立して移動可能な２つの操作片の操作により開閉自在とされ、前記掛止部材は２つの操作片のうちいずれか一方に対し取り付けられていることを特徴とする請求項１記載のネクタイ。
【請求項３】
ポケット部は、縦長寸法を１０ｃｍ〜１８ｃｍとし、小剣部におけるポケット部の位置をその下端が小剣部下端から５〜１０ｃｍの高さにくるように配置してなることを特徴とする請求項１または請求項２記載のネクタイ。
【請求項４】
ファスナーにおける操作片のスライド量を８ｃｍ〜１４ｃｍとしてなることを特徴とする請求項１ないし請求項３記載のネクタイ。
【考案の詳細な説明】
【技術分野】
【０００１】
本考案は、着用時にブラブラせず、風の吹く時や仕事の時などに乱れることのないネクタイに関する。
【背景技術】
【０００２】
従来はネクタイピン等の留め具を用いてネクタイをワイシャツに固定するのが一般的であったが、最近はファッション等を意識してネクタイピン等を使用しない人が増えている。しかしながら、ネクタイピン等を使用しないと、ネクタイが曲がったり、あるいはネクタイがブラブラして邪魔になり、そのため仕事中や食事中にネクタイを肩に掛けている人も見かける。これでは非常に体裁が悪く、ネクタイを着用している意味がまったく成さなくなる。
これに対応して、ネクタイピン等の留め具を使用しなくても、着用しているときに曲がったりブラブラすることのないネクタイが提案されている（特許文献１）。この提案は、ワイシャツのボタンの裏側に掛止可能な輪状部材またはチェーン若しくは紐付きのリング状部材をネクタイ本体の裏面側に取り付けたもので、ワイシャツのボタンと輪状部材の高さ位置が一致しない場合には、伸縮性の素材を用いて輪状部材を伸ばして対応可能とし、または非伸縮性の素材の場合には、複数の輪状部材を一連にして対応可能とするものである。
【０００３】
【特許文献１】特開２００１−１７２８１０号
【考案の開示】
【考案が解決しようとする課題】
【０００４】
しかしながら、前記特許文献１のネクタイによると、輪状部材に伸縮性の素材を用いると、ネクタイがワイシャツのボタンに掛止された輪状部材に引っ張られて自然な形を作れなくなる心配や、複数の輪状部材を一連にした場合は、輪状部材が大きく嵩張り、見た目が悪くなるといった問題がある。
【０００５】
本考案は前記課題に鑑みてなされたもので、着用しているときに曲がったりブラブラすることがなく、ネクタイ側の掛止部材の高さとワイシャツのボタンの高さの位置が合わない場合に両者の位置合わせを容易に行うことができ、かつその場合に着用したネクタイの姿勢を自然な形に保持することのできるネクタイを提供することを目的とする。
【０００６】
また、旅行先や出張先で財布やお金を紛失した時など非常時の財布代わりとなるネクタイを提供することを目的とする。
【課題を解決するための手段】
【０００７】
前記課題を解決するために、本考案の請求項１に係るネクタイは、大剣部と小剣部を有し、大剣部の裏側に小剣部通しを有するネクタイにおいて、小剣部の裏側に縦に延びる開閉自在なファスナーを取り付けるとともに、小剣部の内部にファスナーを開けて縦長に折り畳んだ紙幣を収納できる縦長のポケット部を形成し、シャツのボタンに掛止可能な掛止部材を前記ファスナーの操作片に対し取り付けてなることを特徴とする。
【０００８】
請求項１記載のネクタイによると、ポケット部に縦長に折り畳んだ状態で紙幣を収納することで、小剣部を縦にピンと張った状態に保持することができ、これによりネクタイを着用して小剣部を大剣部の小剣部通しに挿通した状態で、小剣部が小剣部通しから容易に外れることがなく、小剣部と大剣部の一体性を高めて、ネクタイがブラブラしたり曲がったりすることを防止できる。
【０００９】
また、小剣部の裏側のファスナーを開けてポケット部に紙幣を収納し、旅行先や出張先で財布やお金を紛失した時など非常時の財布代わりとすることができる。
【００１０】
ワイシャツのボタンの位置と掛止部材の位置が上下にずれている場合には、ファスナーの、掛止部材を取り付けている操作片を上下に移動させることにより、掛止部材の位置をワイシャツのボタンの位置に適正に合わせ、両者の位置を一致させることができる。これにより着用したネクタイが無理に変形したりワイシャツのボタン付近にしわを形成することなく、ネクタイの姿勢を自然な形に保持することができる。
【００１１】
本考案の請求項２に係るネクタイは、ファスナーが独立して移動可能な２つの操作片の操作により開閉自在とされ、掛止部材が２つの操作片のうちいずれか一方に対し取り付けられていることを特徴とする。
【００１２】
請求項２記載のネクタイによると、ワイシャツのボタンの位置と掛止部材の位置が上下にずれている場合に、掛止部材を取り付けている一方の操作片を上下に移動させて、掛止部材の位置をワイシャツのボタンの位置に合わせる一方、掛止部材を取り付けていない他方の操作片を前記一方の操作片に追従させるように移動させ、ファスナーを完全に閉じたままとすることができる。これによりポケット部に対し紙幣を常に安全な状態で収納することができる。
【００１３】
本考案の請求項３に係るネクタイは、ポケット部の縦長寸法を１０ｃｍ〜１８ｃｍとし、小剣部におけるポケット部の位置をその下端が小剣部下端から５〜１０ｃｍの高さにくるように配置してなることを特徴とする。
【００１４】
請求項３記載のネクタイによると、結び目の調整により、大剣部に対し小剣部の剣先の位置が多少（約５ｃｍ程度）上下にずれたとしても、ポケット部の位置が小剣部通しの位置から上下に大きくずれることがなく、ポケット部に収納した縦折りの紙幣によりネクタイをブラブラさせることなく、常に正しい姿勢に保持することができる。好ましくは、ポケット部の縦長寸法を１２ｃｍ〜１６ｃｍとし、小剣部におけるポケット部の位置をその下端が小剣部下端から７〜９ｃｍの高さにくるように配置する。
【００１５】
本考案の請求項４に係るネクタイは、ファスナーにおける操作片のスライド量を８ｃｍ〜１４ｃｍとしてなることを特徴とする。
【００１６】
請求項４記載のネクタイによると、ファスナーにおける操作片のスライド量を８ｃｍ〜１４ｃｍとすることにより、ポケット部に収納する縦長に折り畳んだ紙幣の出し入れがしやすくなる。好ましくは、ファスナーにおける操作片のスライド量を９ｃｍ〜１１ｃｍとする。
【考案の効果】
【００１７】
以上説明したように、本考案に係るネクタイは、着用しているときに曲がったりブラブラするのを防止することができるとともに、ネクタイ側の掛止部材の高さとワイシャツのボタンの高さの位置が合わない場合には両者の位置合わせを容易に行うことができ、かつその場合には着用したネクタイの姿勢を自然な形に保持することができるという優れた効果を奏する。
【００１８】
また、旅行先や出張先で財布やお金を紛失した時など非常時の財布代わりとすることができるという優れた効果を奏する。
【考案を実施するための最良の形態】
【００１９】
次に、考案を実施するための最良の形態を図１ないし図５を参照して説明する。これらの図において、本考案のネクタイ１は、ネクタイ表地の大剣部２、小剣部３に裏地４をポケット状に付け、図示しないネクタイ芯地を剣先に沿って入れるとともに、ネクタイ表地のサイドを折り返して閉じ、裏側に小剣部通し５を付け、最後にかんぬき止め６を付けた基本構造となっている。
【００２０】
小剣部３の裏側には、ネクタイ１をワイシャツ１２の上から着用した際に、小剣部通し５付近に位置する、縦に延びる所定長さ（図示例では約１２ｃｍ）のファスナー７が設けられている。このファスナー７は、左右のテープ部８ａ、８ｂが、ネクタイ表地のサイドの折り返し部分Ａの下に隠れるようにしてその内側に取り付けられている。そして、２個のスライダー（操作片）９Ａ、９Ｂを各々上下に動かすことにより、左右のエレメント８ｃどうしを噛み合わせたり離したりして、ファスナー７の口を開いたり閉じたりすることができる。
【００２１】
小剣部３の内部には、ファスナー７の位置に対応して、ネクタイ１をワイシャツ１２の上から着用した際に、小剣部通し５に位置する、所定長さ（図示例では約１８ｃｍ）のポケット部１０が設けられている。このポケット部１０は、ネクタイ表地のサイドの折り返し部分Ａの内側に軽くて薄い布素材をポケット状に縫い付けたもので、紙幣Ｂを縦長に折り曲げた状態で収納できる長さおよび幅を有する。
【００２２】
ファスナー７の、いずれか一方のスライダー（図示例では９Ａ）の引き手９ａには、図２に示すように、ワイシャツ１２のボタン１３に掛止するリング状部材１１ａを有するネクタイ止め１１のチェーン１１ｂが取り付けられている。
【００２３】
ファスナー７の各スライダー９Ａ、９Ｂはいずれも上下に所定の長さＬ（図示例では約１０ｃｍ）を移動させることができるようになっている（図３参照）。これにより、ネクタイ１をワイシャツ１２の上から着用し、結び目を作り、小剣部３を小剣部通し５に挿通した状態で、ワイシャツ１２のボタン１３の位置とリング状部材１１ａの位置が上下にずれている場合には、リング状部材１１ａのチェーン１１ｂを装着している側のスライダー９Ａを上下にスライドさせることで、リング状部材１１ａの位置をワイシャツ１２のボタン１３の位置に一致させることができる。このとき、チェーン１１ｂを装着していない他方のスライダー９Ｂを前記スライダー９Ａに追従させるべくスライドさせれば、ファスナー７は完全に閉じたままとすることができる。
【００２４】
本考案のネクタイ１は、図４に示すように、ファスナー７を開けて、中のポケット部１０に紙幣Ｂを縦折りで収納することによって、旅行先や出張先の財布代わりとすることができる。つまり、旅行先や出張先に財布やお金を紛失した場合に、１枚乃至数枚の紙幣Ｂをポケット部１０に収納しておくことで、いざというときに対応することができる。図５に示すように、ファスナー７のテープ部８ａ、８ｂは外からは見えないように取り付けられるので、ネクタイ１の美観を損ねず、また、紙幣Ｂの存在を他人に知られることも防止できる。
【００２５】
ポケット部１０に収納した縦折の紙幣Ｂは、小剣部３を縦にピンと張らせ、小剣部３を小剣部通し５に拘束し、容易に外れないようにする役目をする。このため、小剣部３におけるポケット部１０の位置は、ネクタイ１をワイシャツ１２の上から着用し、小剣部３を小剣部通し５に挿通した状態で、図１に示すように、小剣部通し５と交差する位置にもってくることが望ましい。
これにより、ファスナー７のスライダー９Ａの引き手９ａにチェーン１１ｂを取り付けたネクタイ止め１１のリング状部材１１ａをワイシャツ１２のボタン１３に掛止したときに、ネクタイ１が前後左右にグラグラすることを防ぐことができる。また、ネクタイ１やワイシャツ１２に無理な力が作用せず、ネクタイ１の自然な吊下げ姿勢を保持することができる。
【００２６】
小剣部３におけるポケット部１０の位置は、例えばポケット部１０の長さが約１８ｃｍで、小剣部通し５の位置が大剣部２の剣先から約２０ｃｍ上にくる場合、小剣部３の剣先から約１０ｃｍ程度上にポケット部１０の下端がくるように、配置すればよい。結び目の調整により、大剣部２に対し小剣部３の剣先の位置が多少（約５ｃｍ程度）上下にずれたとしても、ポケット部１０の位置が小剣部通し５の位置から上下に大きくずれることがなく、ポケット部１０に収納した縦折りの紙幣Ｂによりネクタイ１をブラブラさせることなく、常に正しい姿勢に保持することができる。
【００２７】
本実施形態におけるネクタイ止め１１は、リング状部材１１ａにチェーン１１ｂを付属したが、紐であってもよい。また、リング状部材１１ａを直接スライダー９Ａの引き手９ａに取り付けるようにしてもよい。
【産業上の利用可能性】
【００２８】
本考案は、ネクタイ止め付きのネクタイとして、また、旅行先や出張先で役立つ財布付きのネクタイとして利用することができる。
【図面の簡単な説明】
【００２９】
【図１】本考案のネクタイを裏側から見た状態を示す図、
【図２】ネクタイ止めをワイシャツのボタンに掛止した状態を示す側面図、
【図３】ファスナーの２個のスライダーを上下に移動させる状態を示す図、
【図４】小剣部裏側のポケット部に縦折りの紙幣を収納する様子を示す図、
【図５】小剣部裏側のポケット部に紙幣を収納した後、ファスナーを閉めた状態を示す図である。
【符号の説明】
【００３０】
１  ネクタイ
２  大剣部
３  小剣部
４  裏地
５  小剣部通し
６  かんぬき止め
７  ファスナー
８ａ、８ｂ  テープ部
８ｃ  エレメント
９Ａ、９Ｂ  スライダー（操作片）
９ａ  引き手
１０  ポケット部
１１  ネクタイ止め（掛止部材）
１１ａ  リング状部材
１１ｂ  チェーン
１２  ワイシャツ
１３  ボタン
Ａ  折り返し部分
Ｂ  紙幣
Ｌ  長さ
【図１】
0003119307.tif 000003
【図２】
0003119307.tif 000004
【図３】
0003119307.tif 000005
【図４】
0003119307.tif 000006
【図５】
0003119307.tif 000007